(57)【要約】【課題】  データ転送装置が設けられた電子機器が電池によって駆動され、その電池の残量が少ないときは、データ転送装置における電力消費を低減しながらデータ転送を行うことのできるデータ転送装置を得る。【解決手段】  電池駆動が可能な電子機器におけるデータ転送装置において、入力データを高速で転送する第１の転送手段１４と、入力データを低速で転送する第２の転送手段１６と、電子機器を駆動する電池の電圧を検知する電圧検知手段２８と、電池の電圧が設定値以上のときは、第１の転送手段１４のみが動作状態となり、設定値未満のときは、第２の転送手段１６のみが動作状態となるように、電圧検知手段２８の検知電圧に基づいて、第１及び第２の転送手段１４、１６を制御する制御手段２６とを有する。【選択図】          図１
2005078475.tif 000002
【特許請求の範囲】
【請求項１】
電池駆動が可能な電子機器におけるデータ転送装置において、
入力データを高速で転送する第１の転送手段と、
前記入力データを低速で転送する第２の転送手段と、
前記電子機器を駆動する電池の電圧を検知する電圧検知手段と、
前記電池の電圧が設定値以上のときは、前記第１の転送手段のみが動作状態となり、前記設定値未満のときは、前記第２の転送手段のみが動作状態となるように、前記電圧検知手段の検知電圧に基づいて、前記第１及び第２の転送手段を制御する制御手段とを有することを特徴とするデータ転送装置。
【請求項２】
請求項１に記載のデータ転送装置において、
ＡＣアダプタから給電されていることを検知する検知手段を有し、
前記検知手段によって、ＡＣアダプタから給電されていることが検知されたときは、前記制御手段が前記第１の転送手段のみが動作状態となるようにすることを特徴とするデータ転送装置。
【請求項３】
請求項１又は２に記載のデータ転送装置において、
前記第１の転送手段は、ＵＳＢ２．０モジュールであると共に、
前記第２の転送手段は、ＵＳＢ１．１モジュールであることを特徴とするデータ転送装置。
【発明の詳細な説明】
【技術分野】
【０００１】
本発明はデータ転送装置に係り、特に電子機器の電圧に応じて、転送速度の異なる転送手段を切り換えるようにしたデータ転送装置に関する。
【背景技術】
【０００２】
特許文献１には、比較的高速で通信される高速通信データおよび比較的低速で通信される低速通信データを処理するデータ通信装置が記載されている。このデータ通信装置では、特に、通信速度が高速のときにはデータ処理ＣＰＵの動作クロックの周波数を高くし、通信速度が低速のときにはデータ処理ＣＰＵの動作クロックの周波数を低くするようにしている。このデータ通信装置によれば、データ処理能力が過剰となることがなく、無駄な電力を消費しないから、電池駆動の携帯型のデータ通信装置に特に有効である。          
【０００３】
特許文献２には、生成されるクロックの周波数を、動作不良を起こすことなくダイナミックに切り替えることができると共に、異なる転送モードでのデータ転送を低消費電力で実現できるデータ転送制御装置が、記載されている。
【特許文献１】特開平７−３２１８７４号公報
【特許文献２】特開２００２−１４１９１１号公報
【発明の開示】
【発明が解決しようとする課題】
【０００４】
上述の従来装置では、通信ケーブル上の通信速度や転送モードを検出し、その状態に応じた通信速度や転送モードで動作することで、低消費電力を実現しようとしている。しかし、かかる従来装置では、装置自体の状態がどのようになっているかは考慮されてはいない。従って、かかる従来装置では、装置を駆動する電池の残量が少ない場合でも、高消費電力を以て、データを転送する場合があり、電池残量の低下に拍車を掛けるおそれがある。
【０００５】
かかる点に鑑み、本発明は、データ転送装置が設けられた電子機器が電池によって駆動され、その電池の残量が少ないときは、データ転送装置における電力消費を低減しながらデータ転送を行うことのできるデータ転送装置を提案しようとするものである。
【課題を解決するための手段】
【０００６】
本発明は、電池駆動が可能な電子機器におけるデータ転送装置において、入力データを高速で転送する第１の転送手段と、入力データを低速で転送する第２の転送手段と、電子機器を駆動する電池の電圧を検知する電圧検知手段と、電池の電圧が設定値以上のときは、第１の転送手段のみが動作状態となり、設定値未満のときは、第２の転送手段のみが動作状態となるように、電圧検知手段の検知電圧に基づいて、第１及び第２の転送手段を制御する制御手段とを有するデータ転送装置である。
【０００７】
かかる本発明のデータ転送装置によれば、電池の電圧が設定値以上のときは、第１の転送手段のみが動作状態となり、設定値未満のときは、第２の転送手段のみが動作状態となるように、電圧検知手段の検知電圧に基づいて、制御手段が第１及び第２の転送手段を制御する。かかる本発明のデータ転送装置において、ＡＣアダプタから給電されていることを検知する検知手段を有し、検知手段によって、ＡＣアダプタから給電されていることが検知されたときは、制御手段が第１の転送手段のみが動作状態となるようにすることが可能である。
【発明の効果】
【０００８】
本発明によれば、電池駆動が可能な電子機器におけるデータ転送装置において、入力データを高速で転送する第１の転送手段と、入力データを低速で転送する第２の転送手段と、電子機器を駆動する電池の電圧を検知する電圧検知手段と、電池の電圧が設定値以上のときは、第１の転送手段のみが動作状態となり、設定値未満のときは、第２の転送手段のみが動作状態となるように、電圧検知手段の検知電圧に基づいて、第１及び第２の転送手段を制御する制御手段とを有するので、当該データ転送装置が設けられた電子機器が電池によって駆動され、その電池の残量が少ないときは、データ転送装置における電力消費を低減しながらデータ転送を行うことのできるデータ転送装置を得ることができる。そして、電池の電圧が所定値未満のときは、第１の転送手段に比べて、電力消費の小さな第２の転送手段が動作状態となるので、第１の転送手段が動作状態にあるときと比べて、データの転送速度は低くなるが、第１の転送手段が動作状態にあるときと比べて、電池の残量の低下は少なくなり、電池の寿命は長くなる。従って、データ転送装置が設けられた電子機器が携帯型電子機器である場合には、頗る好適である。
【発明を実施するための最良の形態】
【０００９】
以下に、図１を参照して、本発明の実施の形態のデータ転送装置の一例の構成を詳細に説明する。図１は、電子機器に設けられたデータ転送装置を示す。図示を省略したホストコンピュータ（これに限られるものではなく、種々の装置、回路等が可能である）から導出されたＵＳＢケーブルの遊端にＵＳＢコネクタが接続され、そのＵＳＢコネクタが、図示のＵＳＢコネクタ１８に接続されて、ホストコンピュータと、データ転送装置が設けられた電子機器との間にデータが伝送され得るように構成されている。尚、ＵＳＢは、Universal Serial Busの略で、コンピュータの周辺機器のインターフェースの共通化を図った規格の一つである。
【００１０】
１０はコントローラを全体として示し、このコントローラ１０は、ＵＳＢコネクタ１８に、ホストコンピュータから導出されたＵＳＢケーブルの遊端に接続されたＵＳＢコネクタが接続されたことを検知する接続検知手段（接続検知モジュール）１２、高速にデータを転送するＵＳＢ２．０モジュール１４及び低速にデータを転送するＵＳＢ１．１モジュール１６を備えている。ＵＳＢコネクタ１８に接続されたＵＳＢケーブル（データ通信手段）２４が、それぞれ並列関係にあるＵＳＢ２．０モジュール１４及びＵＳＢ１．１モジュール１６を通じて、ＣＰＵ（中央処理装置）２６に接続されている。
【００１１】
ＵＳＢ１．１モジュール１６のデータ転送速度としては、１２Ｍｂｐｓ（フルスピード・モード）と、１．５Ｍｂｐｓ（ロースピード・モード）の２種類がある。ＵＳＢ２．０のデータ転送速度としては、最高４８０Ｍｂｐｓ（フルスピード・モード）である。このため、ＵＳＢ２．０モジュール１４の消費電力は、ＵＳＢ１．１モジュール１６の消費電力に比べてかなり大きくなる。
【００１２】
ＵＳＢコネクタ１８がＵＳＢケーブルを通じて、接続検知手段１２に接続される。ＵＳＢコネクタ１８に、例えば、ホストコンピュータから導出されたＵＳＢケーブルの遊端に接続されたＵＳＢコネクタが、ＵＳＢコネクタ１８に接続されると、この接続が接続検知手段１２によって検知されると割り込みが発生し、この割り込みが検知信号伝送路（接続検知通知手段）２０を通じて、ＣＰＵ２６に伝送されるようになされている。又、ＣＰＵ２６からの制御信号が、制御信号伝送路（ＵＳＢモジュール切換え手段）２２を通じて、ＵＳＢ２．０モジュール１４及びＵＳＢ１．１モジュール１６に供給されて、その一方のみが動作状態になるように制御される。
【００１３】
データ転送装置が設けられた電子機器には、電源として、バッテリー（電池）３０が電池収容部に装填され得るように構成されていると共に、交流電圧入力端子が商用交流電源に接続されたＡＣアダプタの直流電圧出力端子が、直流電圧入力端子に接続し得るように構成されている。バッテリー３０は、乾電池及び充電式電池の何れであっても良い。
【００１４】
２８は電圧検知手段（電圧検知モジュール）で、バッテリー３０よりの直流電圧又はＡＣアダプタよりの直流電圧を検知し、その検知電圧が検知電圧伝送路３４を通じて、ＣＰＵ２６に伝送されるようになされている。ＣＰＵ２６は、バッテリー３０よりの直流電圧又はＡＣアダプタよりの直流電圧が、設定値以上か、設定値未満かを判別し、その直流電圧が設定値以上のときは、ＵＳＢ２．０モジュール１４のみを動作状態にし、その直流電圧が設定値未満のときは、ＵＳＢモジュール１．１のみを動作状態にするような制御信号を、制御信号伝送路２２を通じて、ＵＳＢ２．０モジュール１４及びＵＳＢ１．１モジュール１６に供給するようにしている。尚、ＡＣアダプタ３２よりの直流電圧によって、電子機器が駆動されているときは、そのＡＣアダプタ３２よりの直流電圧は設定値以上であるので、ＵＳＢ２．０のみが動作状態になる。
【００１５】
次に、図２のフローチャートと共に、図１のブロック図を参照して、図１のデータ転送装置の動作を説明する。先ず、ステップＳ１０で、接続検知手段１２によって、ホストコンピュータから導出されたＵＳＢケーブルの遊端に接続されたＵＳＢコネクタが、ＵＳＢコネクタ１８に接続されたか否か、即ち、ホストコンピュータから導出されたＵＳＢケーブルが、ＵＳＢケーブル２４に接続されたか否かを検知し、未接続のときはステップＳ１０に戻って待機状態となり、接続されたときは、その接続検知信号（割り込み）がＣＰＵ２６に伝送される。
【００１６】
ステップＳ１０の判別結果が、接続された、であるときは、ステップＳ１２に移行して、ＣＰＵ２６が、電源電圧は設定値以上か設定値未満かを判別する。ステップＳ１２の判別結果が、設定値以上のときは、ステップＳ１６に移行して、高速転送モードで処理を開始する、即ち、ＵＳＢ２．０モジュール１４のみを動作状態にした後、ステップＳ１８に移行して、ＵＳＢケーブル２４の通信を確立する。
【００１７】
ステップＳ１２の判別結果が、設定値未満のときは、ステップＳ１４に移行して、低速転送モードで処理を開始する、即ち、ＵＳＢ１．１モジュール１６のみを動作状態にした後、ステップＳ１８に移行して、ＵＳＢケーブル２４の通信を確立する。
【００１８】
次に、図３を参照して、本発明の実施の形態のデータ転送装置の他の例の構成を説明するも、図３において、図１と対応する部分には、同一符号を付して、重複説明を省略する。３６は、ＡＣアダプタから給電されていることを検知する検知手段としてのＡＣアダプタ検出手段である。このデータ転送装置の例では、例えば、電子機器のジャックへの、ＡＣアダプタ３２のプラグの挿入を、そのプラグの挿入によって動作するスイッチからなるＡＣアダプタ検出手段３６によって検出し、その検出出力をＣＰＵ２６に供給して、第１の転送手段１４のみが動作状態になるように制御する。その他の構成及び動作は、図１の場合と同様である。
【図面の簡単な説明】
【００１９】
【図１】本発明の実施の形態のデータ転送装置の一例を示すブロック図である。
【図２】図１のデータ転送装置の一例の動作説明のためのフローチャートである。
【図３】本発明の実施の形態のデータ転送装置の他の例を示すブロック図である。
【符号の説明】
【００２０】
１０…コントローラ、１２…接続検知手段（接続検知モジュール）、１４…ＵＳＢ２．０モジュール、１６…ＵＳＢ１．１モジュール、１８…ＵＳＢコネクタ、２６…ＣＰＵ、２８…電圧検知手段（電圧検知モジュール）、３０…バッテリー（電池）、３２…ＡＣアダプタ
【図１】
2005078475.tif 000003
【図２】
2005078475.tif 000004
【図３】
2005078475.tif 000005